(57)【要約】  燃料電池は、アノードチャンバー（２）内に入る水素注入口（３）を有するアノードチャンバー（２）を含む。アノードチャンバー（２）の内側を、その外側から分離する壁（４）は、アノードチャンバー（２）の外側と内側との間の第一熱伝導抵抗を有する主要領域（５）を備え、水の凝縮を促進する領域（６）は、アノードチャンバーの外側と内側の間の、第一熱伝導抵抗より厳密に小さい第二熱伝導抵抗を有し、アノードチャンバー（２）内で水凝縮表面（７）の境界を定める。凝縮した水を除去するためのチャネル（８）が、凝縮区域（７）をアノードチャンバー（２）の外側と接続している。
2014507057.tif 000002
【特許請求の範囲】
【請求項１】
アノードチャンバー（２）内に入る水素注入口（３）を有するアノードチャンバー（２）を備えてなる燃料電池であって、前記アノードチャンバー（２）の内側を、前記アノードチャンバー（２）の外側から分離する壁（４）が、
−  前記アノードチャンバー（２）の外側と内側との間の第一熱伝導抵抗を有する主要領域（５）と、
−  前記第一熱伝導抵抗より厳密に小さい、前記アノードチャンバー（２）の外側と内側との間の第二熱伝導抵抗を有し、前記アノードチャンバー（２）内で水凝縮区域（７）の境界を定める、水の凝縮を促進する領域（６）と
を備えてなり、
前記凝縮水を除去するための排出チャネル（８）が、前記凝縮区域（７）を前記アノードチャンバー（２）の外側に接続している、燃料電池。
【請求項２】
前記燃料電池が、それぞれアノード（１０）及びカソード（１１）を形成する電極の対により境界が定められた複数の基本電池を備えてなり、各対が電解質膜（９）により分離されており、前記アノードが、全て前記アノードチャンバー（２）内に配置されている、請求項１に記載の電池。
【請求項３】
少なくとも２個の基本電池が共通の電解質膜（９）を備えてなる、請求項２に記載の電池。
【請求項４】
前記燃料電池が、複数の個別の電解質膜（９）を備えてなり、それぞれの電解質膜（９）が基本電池に対応する、請求項２に記載の電池。
【請求項５】
前記凝縮領域（６）が、前記アノードチャンバー（２）の前記壁（４）の局所的に薄い部分（１２）により形成される、請求項１に記載の電池。
【請求項６】
前記凝縮領域（６）が、前記薄い部分（１２）のレベルにおける前記アノードチャンバー（２）の外側に配置された突出部（１３）を備えてなる、請求項５に記載の電池。
【請求項７】
前記凝縮領域（６）が、前記壁（４）の、前記アノードチャンバー（２）の外側と前記アノードチャンバー（２）の内側とを連絡する穴を充填する挿入物を備えてなる、請求項１に記載の電池。
【請求項８】
前記挿入物が、前記主要領域（５）の境界を定めるのに使用される材料よりも高い熱伝導率を有する材料から製造される、請求項７に記載の電池。
【請求項９】
前記排出チャネル（８）が、前記排出チャネル（８）を通して、前記凝縮水の前記除去を制御するバルブ（１４）に接続されている、請求項１〜８のいずれか一項に記載の電池。
【請求項１０】
前記凝縮区域（７）に水の存在を検知するセンサー（１５）が取り付けてあり、前記センサー（１５）が前記バルブ（１４）に接続されて、前記凝縮区域（７）に水（１６）が存在する場合に除去を開始する、請求項９に記載の電池。
【請求項１１】
前記アノードチャンバー（２）から取り出した水を吸収するために、前記アノードチャンバー（２）の外側に配置され、前記排出チャネル（８）に取り付けられた液体水の貯蔵部及び蒸発要素（１７）を備えてなる、請求項１〜１０のいずれか一項に記載の電池。
【請求項１２】
前記貯蔵部及び蒸発要素（１７）が前記凝縮領域（６）と接触している、請求項１１に記載の電池。
【請求項１３】
前記貯蔵部及び蒸発要素が、水素の触媒燃焼を行うように形成された材料（１９）を備えてなる、請求項１１に記載の電池。
【請求項１４】
親水性多孔質材料（１８）が前記アノードチャンバー（２）内に配置されている、請求項１〜１３のいずれか一項に記載の電池。
【請求項１５】
前記壁（４）が、マイクロチャネル（２０ａ、２０ｂ）により相互接続された凝縮領域（６ａ、６ｂ、６ｃ）を備えてなり、前記排出チャネル（８）が、１つの前記凝縮領域の少なくとも１つの凝縮区域（７）を前記アノードチャンバー（２）の外側に接続している、請求項１〜１４のいずれか一項に記載の電池。
【請求項１６】
燃料電池のアノードチャンバー内で水を凝縮させ、形成された水を除去する方法であって、
−  前記アノードチャンバー（２）内の、前記アノードチャンバー（２）の壁（４）の少なくとも一個の凝縮区域（７）の温度を局所的に下げる工程と、
−  前記燃料電池の作動の際に逆拡散により得られる水蒸気を凝縮区域（７）で凝縮させる工程と、
−  前記凝縮区域（７）で凝縮した前記水を、前記凝縮区域（７）を前記アノードチャンバー（２）の外側に接続する排出チャネル（８）を通して除去する工程と
を含んでなる、方法。
【請求項１７】
前記除去工程の前に、凝縮区域（７）における凝縮した水の存在を検出する工程を行い、凝縮した水（１６）が前記凝縮区域（７）で検出された場合にのみ、前記除去工程が行われる、請求項１６に記載の方法。
【発明の詳細な説明】
【技術分野】
【０００１】
本発明は、アノードチャンバー内に入る水素注入口を有するアノードチャンバーを備える燃料電池に関する。
【背景技術】
【０００２】
１個又は数個のアノードを収容できるアノードチャンバー型燃料電池では、アノードにおける水素型燃料の酸化、およびカソードにおける空気酸素型の酸化剤の還元により、発電が起こる。一般的に、アノード及びカソードは、Ｎａｆｉｏｎ（登録商標）から製造されることが多い電解質膜により分離されている。燃料として水素を使用する具体的な例では、水素がアノードで解離（Ｈ２→２Ｈ＋＋２ｅ−）してＨ＋イオンを与え、これが膜を横切り、酸化剤が流れるカソードで反応し、水を発生する（１／２Ｏ２＋２Ｈ＋＋２ｅ−→Ｈ２Ｏ）。しかし、カソード側で発生した水の一部は、膜を通って逆拡散し、最後にはアノードチャンバー内で蒸気の形態になる。外側の条件（温度、湿度）及び作動条件（効率、システムの密閉状態）により、そのような逆拡散は、カソードで発生した水の１０％〜４０％にもなる。
【０００３】
さらに、化学的水素化物の加水分解によりアノードの上流で水素が発生する場合、加水分解に起因する一定量の水がガス中に存在することが課され、この水がアノードレベルに達している。
【０００４】
このように、燃料電池が作動する際、アノードチャンバーは水蒸気で満たされ、これが少しずつ凝縮し、凝縮した水が、アノードの触媒サイトに向かう水素の通過を妨害するので、燃料電池の性能低下を引き起こす。
【０００５】
文書米国特許出願公開第２００６／０１２１３２６号には、アノードに、水素注入チャネル並びに未反応水素及び不純物を外に出すチャネルを備えた燃料電池が記載されている。排出チャネルは、不純物をパージ（除去）するように形成され、決められた時間だけ開くバルブを備えている。
【０００６】
文書米国特許出願公開第２００６／０１２１３２６号のパージシステムは、アノードチャンバーを有する型の燃料電池には適用できない。事実、そのような電池では、水がアノードチャンバー内で凝縮し、停滞するようになる。燃料電池は、どのような位置ででも使用され得るので、燃料電池の停滞した水を除去する効率を大きく損なうことなく、パージバルブを設置することは困難であり、大量の水素がアノードチャンバーの外側に排出される。
【発明の概要】
【０００７】
本発明の目的は、燃料電池の位置に関係なく、アノードチャンバーに含まれる水を効率的にパージすることができる燃料電池を形成することである。この目的は、添付の請求項により達成される傾向にある。
【図面の簡単な説明】
【０００８】
他の利点及び特徴は、本発明を制限しない例としてのみ記載され、添付図面に示される、下記の本発明の特別な態様の説明からより明らかになるであろう。
【図１】燃料電池の第一態様の断面図を示す。
【図２】燃料電池の第二態様の断面図を示す。
【図３】燃料電池の第二態様の変形の断面図を示す。
【図４】水の存在を検知するセンサーを取り付けた凝縮領域を中心とする断面図を示す。
【図５】水貯蔵部及び蒸発要素を取り付けた凝縮領域を中心とする断面図を示す。
【図６】凝縮領域の別の態様を示す。
【好ましい態様の説明】
【０００９】
以下に説明する燃料電池は、その作動の際に、水の凝縮及び凝縮した水の除去の両方を促進する区域により、特に燃料電池カソードで発生した水の逆拡散による、アノードチャンバー内で凝縮した水を除去することができる。
【００１０】
図１〜３で、燃料電池１は、アノードチャンバー２内に入る水素注入口３を有するアノードチャンバー２を備える。壁４は、アノードチャンバー２の内側を、アノードチャンバー２の外側から分離する。壁４は、アノードチャンバー２の外側と内側の間の第一熱伝導抵抗を有する主要領域５を備える。壁４は、水の凝縮を促進する特殊領域６をさらに備え、この特殊領域６は、第一熱伝導抵抗より厳密に小さい、アノードチャンバー２の外側と内側との間の第二熱伝導抵抗を有し、アノードチャンバー２内で水凝縮区域７の境界を定める。
【００１１】
凝縮した水を排出するためのチャネル８が、凝縮表面７をアノードチャンバー２の外側と接続している。好ましくは、排出チャネル８は、水凝縮領域６を横切る。排出チャネル８は、水が除去される開放状態、及びアノードチャンバー２の内側がアノードチャンバー２の外側に対して気密になる閉鎖状態を、該排出チャネル８のレベルで取ることができる。排出チャネル８は、毛管であってもよい。毛管は、管を形成し、アノードチャンバー２の内側からアノードチャンバー２の外側に向かう過圧により、該管内の水を排除することができる。
【００１２】
この特殊な配置は、アノードチャンバー２内で蒸気形態で存在する水の凝縮を、凝縮表面７上で促進することができる。これは、アノードチャンバー２の内側表面の少なくとも一点（ここでは、凝縮区域７）が、主要領域５の残りの部分より厳密に低い温度になるように、アノードチャンバー２の内側と外側間の壁４の温度差を利用することで、本燃料電池により可能となる。
【００１３】
実際、熱伝導抵抗は、２表面間の熱伝導流の通過に対する抵抗により、要素を規定することができる。したがって、熱抵抗が高い程、その要素を横切る熱の量は低い。当然のことながら、断熱材料は、高い熱伝導抵抗を有すると言えることになる。したがって、上に定義する主要領域５の特徴及び凝縮領域６の特徴は、好ましくはアノードチャンバー２の内側温度Ｔｉｎｔがアノードチャンバー２の外側温度Ｔｅｘｔより厳密に高い場合、燃料電池の特定の場所における凝縮を促進することができる。
【００１４】
図１〜３の具体的な例では、アノードチャンバー２が、電解質膜９及び／又は少なくとも１つのアノード１０と共に、アノードチャンバー２の内側の境界を定める複数の壁を備える。壁は、アノードチャンバー２の内側の少なくとも一部の境界を定める第一表面、及びアノードチャンバー２の外側の少なくとも一部の境界を定める第二表面を備える。例えばＮａｆｉｏｎ（登録商標）製の膜９は、アノードチャンバー２の内側に配置されたアノード１０と接触している。アノードと関連するカソード１１は、アノードチャンバー２の外側の膜９に接触して配置されている。図に示す例では、燃料電池１は、電極（アノード／カソード）の対により境界が定められた幾つかの基本電池（本例では３個）を備え、各対は電解質膜９により分離されている。電解質膜９は、各基本電池に対して特有であってもよい。この場合、燃料電池は、複数の個別の膜を備え、それぞれが基本電池に対応する。変形により、同じ電解質膜９が少なくとも２個の基本電池に共通である。アノードは、水素がアノードの触媒サイトに拡散し、反応Ｈ２→２Ｈ＋＋２ｅ−を促進するように全て配置されている。燃料電池が、数個の壁を備える場合、これらの壁は、少なくとも一個の主要領域をそれぞれ備える。少なくとも一個の壁が、上記特性を有する少なくとも一個の凝縮領域６を備える。好ましくは、膜は、凝縮領域の熱伝導抵抗より大きな熱伝導抵抗を有し、アノードチャンバー２内のアノードにおける水の凝縮を回避する。好ましくは、チャンバーの内側と外側の間の凝縮領域６の熱伝導抵抗は、全主要領域のチャンバーの内側と外側の間の熱伝導抵抗より厳密に小さい。無論、壁は、幾つかの凝縮領域及びそれらと関連する排出チャネルを備えることができる。さらに、異なった壁は、１個又は数個の凝縮領域及びそれらと関連する排出チャネルをそれぞれ備えることができる。
【００１５】
図１は、アノードチャンバー２の外側とアノードチャンバー２の内側を連絡する壁４の穴を充填する挿入物によって凝縮領域６が形成される、第一の態様を例示する。
【００１６】
好ましくは、挿入物は、主要領域５の境界を定めるのに使用される材料よりも高い熱伝導率を有する材料から製造される。例えば、主要領域５は断熱性プラスチック材料から製造し、挿入物は金属、例えばアルミニウム、ステンレス鋼、銅、ニッケル、等から製造することができる。挿入物は、好ましくは円筒形又は円錐形形状を有するが、壁４の対応する孔に挿入することができるどのような形状でも好適である。挿入物は、好ましくはアノードチャンバー２の気密性も確保し、排出チャネル８を閉鎖したときに、該挿入物のレベルで、アノードチャンバー２の内側からアノードチャンバー２の外側への水素の損失を回避する。挿入物は、接着剤を塗るか、または圧力ばめすることができる。挿入物は、好ましくはチャンバー２の内側と外側の腐食を回避する保護層で覆われている。アノードチャンバー２の内側における凝縮区域７を形成する挿入物の表面は、好ましくは０．０５ｍｍ２〜１ｃｍ２の範囲である。そのような表面積は、１０−Ｗ燃料電池のアノードチャンバーで凝縮により形成され得る水滴のサイズに実質的に相当する。
【００１７】
挿入物は、排出チャネル８が毛管である場合、排出チャネル８のみによっても形成することができ、この場合、凝縮表面７は毛管の断面に相当する。
【００１８】
第二の態様を例示する図２において、凝縮領域６は、アノードチャンバー２の壁４の局所的に薄い部分１２により、形成される。壁４の局所的に薄い部分は、アノードチャンバー２の内側の壁４に設けた窪みの形状でよい。つまり、主要領域５は、凝縮領域６の厚さより厳密に大きい厚さを有する。従って、主要領域５及び凝縮領域６が同じ材料から製造されていても、アノードチャンバー２の内側とアノードチャンバー２の外側との間のそれらの熱伝導抵抗は異なる。この実施態様では、排出チャネル８は、好ましくは薄くなった部分１２の底部とアノードチャンバー２の外側とを接続する。この場合、薄くなった部分１２の底部は、凝縮区域７を形成する。
【００１９】
図３には、第二の態様の変形を例示する。この変形では、凝縮領域６は、局所的に薄い部分１２と、局所的に薄い部分１２のレベルにおけるアノードチャンバー２の外側の突出部１３との両方により形成される。この変形では、突出部１３は、アノードチャンバー２の外側における熱交換表面積を増加することにより、アノードチャンバー２の外側と凝縮区域７との間の熱交換を促進する役割を果たす。
【００２０】
第二の態様及びその変形には、第一の態様に対して、製造面に関する利点がある。実際、アノードチャンバー２の気密性は、図１に示すように壁４中に挿入物を配置するよりも、アノードチャンバー２内で壁４を局所的に薄くすることによって容易に達成される。
【００２１】
上に考察した様々な実施態様で、排出チャネル８の閉鎖又は開放状態は、バルブ１４（図１〜３）を用いて得られる。つまり、排出チャネル８は、該排出チャネル８を通して、凝縮区域７上で凝縮した水の除去を制御するバルブ１４に接続されている。
【００２２】
実施に際して、毎時約１ｇの水を供給する１０−Ｗ電池では、バルブ１４は、１０秒間ごとに１ｍｓだけ開くことができる。しかし、そのような連続した実施では、凝縮区域７のレベルで凝縮した水が無い場合には、水素損失を発生する。従って、水素損失は、燃料電池１の操作の際には、制限する必要がある。
【００２３】
図４において、この必要性に応えるために、領域６の凝縮区域７には、該凝縮区域７上に水の存在を検知するセンサー１５が取り付けてある。存在センサー１５は、凝縮区域７に水が存在する場合に排水を開始するために、バルブ１４に接続されている。例えば、存在センサー１５は制御要素（図示せず）に接続されており、その制御要素はバルブ１４に接続されている。
【００２４】
存在センサー１５は、互いに電気的に絶縁された２個の導電性端子１５ａ、１５ｂを備え、凝縮区域７上に水が存在する場合に電気的に接触するように、凝縮区域７のレベルに配置されている。好ましくは、チャネル８は、存在センサー１５の端子１５ａ、１５ｂ間に配置された開口部を備える。端子１５ａ、１５ｂで導電率を測定することにより、液体の水の存在又は非存在を検出することができる。水が無い場合、端子１５ａ、１５ｂにより形成される回路が開いており、抵抗は無限である。水１６が存在する場合（図４におけるように）、端子１５ａ、１５ｂ間の導電率が検出される。それによって、存在センサー１５の信号により、制御要素はバルブ１４を開くかまたは開かないかを決定することができる。このように、凝縮区域７上に水が存在する時に排出を開始することにより、水素損失を制限する。さらに、存在センサー１５により、端子１５ａ、１５ｂにより形成される回路が再び開くとすぐに、排出は停止することができる。存在センサー１５は、記載した実施態様及び変形の全てに適用できる。
【００２５】
図５において、一般的に上に記載した実施態様及びそれらの変形の全てに適用できるが、排出チャネル８は、アノードチャンバー２の内側から取り出した水を吸収することができるように、アノードチャンバー２の外側に配置した、排出チャネル８及び好ましくはバルブ１４を取り付けた液体水の貯蔵部及び蒸発要素１７に接続してもよい。図５の例において、排出チャネル８は、アノードチャンバー２の壁４の外側表面に対して、好ましくは凝縮領域６に対して固定された、貯蔵部及び蒸発要素１７中に入り込む。つまり、貯蔵部及び蒸発要素は、第一の態様における挿入物と接触し、第二の態様及びその変形では、局所的に薄くなった部分又は突出部のレベルで外側表面上の壁と接触する。
【００２６】
貯蔵部及び蒸発要素１７が、排出チャネル８を通して除去された水で少なくとも部分的に含浸されている場合、例えばバルブ１４により、この水が、アノードチャンバー２の外側の空気と接触し、蒸発し、それによって貯蔵部及び蒸発要素１７が冷却される。従って、凝縮領域６と、より詳しくは壁４の外側表面と接触している貯蔵部及び蒸発要素１７は、アノードチャンバー２の内側にある凝縮区域７に温度を熱移動により伝達する。このように、凝縮領域６と要素１７との間の接触により、要素１７と領域６との間の熱移動が促進される。貯蔵部及び蒸発要素１７は、水を連続的に蒸発させるように、十分に多孔質であるのが好ましい。細孔径は、蒸発機能を果たすには１μｍ〜１ｍｍが好ましい。細孔の総体積は、好ましくは排出の際に除去した水を全て吸収するのに十分であり、燃料電池の出力及び逆拡散反応によって異なる。貯蔵部及び蒸発要素１７は、どのような形状でも有することができ、例えば水の蒸発を促進する平行六面体フォームでよい。貯蔵部及び蒸発要素１７は、セラミック、ポリマー、または好ましくは非常に良好な熱伝導体を形成するための金属から製造することができる。
【００２７】
実験的に、表面積１ｃｍ２あたり１．６ｍｍフォーム厚に対して４００ミクロン細孔を含むニッケルフォームの形状の貯蔵部及び蒸発要素１７を形成した。５−Ｗ燃料電池の作動により発生する水に相当する水をニッケルフォーム中に移した。ニッケルフォームレベルにおける温度低下は、フォームレベルで２２℃の外界温度に対してセ氏３度であった。そのような温度差は、アノードチャンバー２の温度が、アノードチャンバー２の外側温度と同じであっても、凝縮区域７で低温点を創出するのに十分であった。これによって、貯蔵部及び蒸発要素１７を、アノードチャンバー２の外側の凝縮領域６に対して配置し、貯蔵部及び蒸発要素１７の温度が、凝縮区域７に向かって拡散し、その温度を低下させるのが好ましい。
【００２８】
したがって、アノードチャンバー２における温度がアノードチャンバー２の外側における温度と等しい場合、燃料電池が始動するとき、アノードチャンバー２の内側表面上に水滴が不規則に形成される開始段階があり、水滴が凝縮区域７上に形成されると、この水滴は、貯蔵部及び蒸発要素１７により除去される。第一水滴が除去されるとすぐ、貯蔵部及び蒸発要素１７中の水が、取り出された凝縮水の蒸発により、上記のように、貯蔵部及び蒸発要素１７の温度を低下させる。貯蔵部及び蒸発要素１７の温度は、凝縮領域６との接触により、アノードチャンバー２における凝縮区域７の温度を低下させる。次いで、水は、凝縮区域７上の凝縮領域６でのみ凝縮し、燃料電池は、永久作動状態と呼ばれる状態になる。
【００２９】
無論、開始段階を回避するために、燃料電池を始動する前に、貯蔵部及び蒸発要素１７を予備含浸させるか、または燃料電池を、アノードチャンバー２の内側の温度Ｔｉｎｔがアノードチャンバー２の外側のＴｅｘｔより厳密に高いような環境に置くことは可能である。
【００３０】
一般的に、全ての実施態様及びそれらの変形において、親水性多孔質材料１８（図１）をアノードチャンバー２内に配置することで、アノード１０以外の内側表面上に形成された水滴が衝撃で脱離し、アノード上に落下し、触媒サイトを満たし、そして、該燃料電池の効率を下げる危険性を回避することができる。
【００３１】
実際、上述の燃料電池は、表面７が凝縮を促進するために、あらゆる条件及び場所で使用できるという特徴がある。親水性多孔質材料１８は、アノードチャンバー２の内側表面区域の、アノード１０および膜９を除く、全部または一部を占めることができ、ポリマー材料、セルロース、または他の全ての親水性材料から製造することができる。有利には、親水性多孔質材料１８は、少なくとも凝縮区域７上に配置し、該凝縮区域７のレベルで凝縮した水を、この水がチャネル８を通して除去されるまで保持する。
【００３２】
凝縮した水を除去する際、先行技術と比較して水素損失は最少に抑えられてはいるが、この損失は１００％回避されてはいない。事実、凝縮水を除去する際に、特にアノードチャンバー２内の水素が、チャンバーの外側にある外界空気の圧力よりも高い圧力にある場合（典型的には、アノードチャンバー２内の圧力が、厳密に１バールよりも高い場合）、水素はアノードチャンバー２の外に出る場合がある。ここで、環境上の理由から、大気中への水素の排出は回避するのが好ましい。環境安全性の要求に応えるために、貯蔵部及び蒸発要素１７は、図５に例示するように、水素の触媒燃焼を行うことができる材料１９、例えば金属、を備えていてもよい。
【００３３】
しかし、水素の燃焼は発熱反応であるので、水素を燃焼させることができる材料１９と、アノードチャンバー２の壁の、凝縮領域６のレベルにおける外側表面との間の熱伝導度を制限することが好ましい。これを達成するには、貯蔵部及び蒸発要素１７が、２つの部分を備え、第一部分が、アノードチャンバー２の、凝縮領域６のレベルにおける外側表面と接触し、第二部分が、水素を燃焼させることができる材料１９を備える。好ましくは、第二部分１９は、チャンバーの、凝縮領域６に関連する該外側表面から遠位にある、つまり遠く離れている。第一部分は、好ましくは金属系（水素の燃焼を促進しない金属から製造）であり、第二部分は、好ましくは粒子、例えば白金、パラジウム、ニッケル、または水素を燃焼させることができる他の元素、で覆われたポリマーから形成する。
【００３４】
燃料電池の特定の作動条件では、アノードチャンバー２に逆拡散する水の量は、単一の凝縮領域６が処理し得る量よりも大きい場合がある。従って、壁は、図６に示すように、主要領域５とは異なった複数の凝縮領域６ａ、６ｂ、６ｃを備えることができ、各領域は、関連する凝縮区域７ａ、７ｂ、７ｃを備えることができる。凝縮領域６ａ、６ｂ、６ｃは、アノードチャンバー２の外側と内側との間の熱伝導抵抗が、壁４の主要領域５の熱抵抗より明らかに小さいという条件を満たし、アノードチャンバー２の内側の水凝縮区域７ａ、７ｂ、７ｃの境界を定めなければならない。各凝縮領域６ａ、６ｂ、６ｃは、例えば第一及び第二の態様に記載した、異なった型でよい。
【００３５】
各凝縮区域は、関連するチャネル及びバルブ（図示せず）を備えることができる。しかし、費用のかかるバルブ数の増加を回避するために、少なくとも一個の排出チャネル８と連結した凝縮領域６ａ、６ｂ、６ｃのネットワークを形成する（図６）ことができる。図６において、排出チャネル８は、凝縮区域７ａをアノードチャンバー２の外側に接続するのみである。これによって、例えば壁４中に形成されたマイクロチャネル２０ａ、２０ｂと例えば接続することにより、凝縮領域６ａ、６ｂ、６ｃ間に排出システムを形成することができる。換言すれば、壁４は、マイクロチャネル２０ａ、２０ｂにより相互接続された凝縮領域６ａ、６ｂ、６ｃを備え、排出チャネル８は、凝縮領域の１つである、凝縮区域７の少なくとも１つをアノードチャンバー２の外側に接続する。
【００３６】
複数の凝縮領域を使用する方法は、上記の燃料電池の全ての態様及び変形に適用できる。そのような方法は、平型電池及び積層体電池にも適用できる。
【００３７】
燃料電池のアノードチャンバー内に形成された水を除去する方法は、
−  アノードチャンバー２の内側にある、アノードチャンバー２の壁の少なくとも一箇所の凝縮区域の温度を局所的に下げる工程と、
−  燃料電池の作動の際に逆拡散により得られる水蒸気を凝縮区域７で凝縮させる工程と、
−  凝縮区域７で凝縮した水を、該凝縮区域７をアノードチャンバー２の外側に接続する排出チャネル８を通して除去する工程と
を含むことができる。
【００３８】
さらに、除去工程の前に、凝縮区域７で凝縮した水の存在を検出する工程を行うことができ、凝縮した水が凝縮区域７で検出されたときにのみ、除去工程を行うことができる。
【００３９】
無論、本方法は、燃料電池の全ての態様で機能することができ、凝縮区域は、凝縮領域６の一部に形成される。
【図１】
2014507057.tif 000003
【図２】
2014507057.tif 000004
【図３】
2014507057.tif 000005
【図４】
2014507057.tif 000006
【図５】
2014507057.tif 000007
【図６】
2014507057.tif 000008
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
アノードチャンバー（２）内に入る水素注入口（３）を有するアノードチャンバー（２）を備えてなる燃料電池であって、
前記燃料電池が、それぞれアノード（１０）及びカソード（１１）を形成する電極の対により境界が定められた複数の基本電池を備えてなり、各対が電解質膜（９）により分離されており、前記アノードが、全て前記アノードチャンバー（２）内に配置されており、
前記アノードチャンバー（２）の内側を、前記アノードチャンバー（２）の外側から分離する壁（４）が、
−  前記アノードチャンバー（２）の外側と内側との間の第一熱伝導抵抗を有する主要領域（５）と、
−  前記第一熱伝導抵抗より厳密に小さい、前記アノードチャンバー（２）の外側と内側との間の第二熱伝導抵抗を有し、前記アノードチャンバー（２）内で水凝縮区域（７）の境界を定める、水の凝縮を促進する領域（６）と
を備えてなり、
前記凝縮水を除去するための排出チャネル（８）が、前記凝縮区域（７）を前記アノードチャンバー（２）の外側に接続していて、
前記アノードチャンバー（２）から取り出した水を吸収するために、前記アノードチャンバー（２）の外側に配置され、前記排出チャネル（８）に取り付けられた液体水の貯蔵部及び蒸発要素（１７）を備え、
前記貯蔵部及び蒸発要素（１７）が前記凝縮領域（６）と接触している、燃料電池。
【請求項２】
少なくとも２個の基本電池が共通の電解質膜（９）を備えてなる、請求項１に記載の電池。
【請求項３】
前記燃料電池が、複数の個別の電解質膜（９）を備えてなり、それぞれの電解質膜（９）が基本電池に対応する、請求項１に記載の電池。
【請求項４】
前記凝縮領域（６）が、前記アノードチャンバー（２）の前記壁（４）の局所的に薄い部分（１２）により形成される、請求項１〜３のいずれか一項に記載の電池。
【請求項５】
前記凝縮領域（６）が、前記薄い部分（１２）のレベルにおける前記アノードチャンバー（２）の外側に配置された突出部（１３）を備えてなる、請求項４に記載の電池。
【請求項６】
前記凝縮領域（６）が、前記壁（４）の、前記アノードチャンバー（２）の外側と前記アノードチャンバー（２）の内側とを連絡する穴を充填する挿入物を備えてなる、請求項１〜３のいずれか一項に記載の電池。
【請求項７】
前記挿入物が、前記主要領域（５）の境界を定めるのに使用される材料よりも高い熱伝導率を有する材料から製造される、請求項６に記載の電池。
【請求項８】
前記排出チャネル（８）が、前記排出チャネル（８）を通して、前記凝縮水の前記除去を制御するバルブ（１４）に接続されている、請求項１〜７のいずれか一項に記載の電池。
【請求項９】
前記凝縮区域（７）に水の存在を検知するセンサー（１５）が取り付けてあり、前記センサー（１５）が前記バルブ（１４）に接続されて、前記凝縮区域（７）に水（１６）が存在する場合に除去を開始する、請求項８に記載の電池。
【請求項１０】
前記貯蔵部及び蒸発要素が、水素の触媒燃焼を行うように形成された材料（１９）を備えてなる、請求項１〜９のいずれか一項に記載の電池。
【請求項１１】
親水性多孔質材料（１８）が前記アノードチャンバー（２）内に配置されている、請求項１〜１０のいずれか一項に記載の電池。
【請求項１２】
前記壁（４）が、マイクロチャネル（２０ａ、２０ｂ）により相互接続された凝縮領域（６ａ、６ｂ、６ｃ）を備えてなり、前記排出チャネル（８）が、１つの前記凝縮領域の少なくとも１つの凝縮区域（７）を前記アノードチャンバー（２）の外側に接続している、請求項１〜１１のいずれか一項に記載の電池。
【請求項１３】
請求項１〜１２のいずれか一項に記載の燃料電池のアノードチャンバー内で水を凝縮させ、形成された水を除去する方法であって、
−  前記アノードチャンバー（２）内の、前記アノードチャンバー（２）の壁（４）の少なくとも一個の凝縮区域（７）の温度を局所的に下げる工程と、
−  前記燃料電池の作動の際に逆拡散により得られる水蒸気を凝縮区域（７）で凝縮させる工程と、
−  前記凝縮区域（７）で凝縮した前記水を、前記凝縮区域（７）を前記アノードチャンバー（２）の外側に接続する排出チャネル（８）を通して除去する工程と
を含んでなる、方法。
【請求項１４】
前記除去工程の前に、凝縮区域（７）における凝縮した水の存在を検出する工程を行い、凝縮した水（１６）が前記凝縮区域（７）で検出された場合にのみ、前記除去工程が行われる、請求項１３に記載の方法。
【国際調査報告】
2014507057.tif 000009
2014507057.tif 000010
2014507057.tif 000011
2014507057.tif 000012